(57)【特許請求の範囲】
【請求項１】
基地局によるワイヤレス通信の方法であって、
サービング基地局からの信号を処理するときに干渉緩和を実行する際にユーザ機器（ＵＥ）による使用のためのネットワーク支援干渉消去（ＮＡＩＣ）情報を生成することと、
前記ＮＡＩＣ情報を複数のＮＡＩＣダウンリンク制御情報（Ｎ−ＤＣＩｓ）として前記ＵＥに送信することと、ここにおいて、前記複数のＮ−ＤＣＩｓは、少なくとも第１のタイプのＮ−ＤＣＩおよび第２のタイプのＮ−ＤＣＩを備え、前記第１のタイプのＮ−ＤＣＩおよび前記第２のタイプのＮ−ＤＣＩは、異なるＮＡＩＣ情報を搬送する、
前記干渉緩和を実行する際に使用するための、利用可能な送信モード（ＴＭ）のセットからの、低減された数の可能なＴＭの指示を前記ＵＥに送信すること、ここにおいて、可能なＴＭの数が、半静的シグナリングによって低減される、を備える、方法。
【請求項２】
限られた量のＮＡＩＣ情報が、ベストエフォート符号化を使用して前記複数のＮ−ＤＣＩｓのうちの１つのＮ−ＤＣＩ中で与えられる、請求項１に記載の方法。
【請求項３】
前記複数のＮ−ＤＣＩｓのうちの１つのＮ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、請求項１に記載の方法。
【請求項４】
前記ＲＢＧまたはＮ−ＲＢＧが、利用可能な変調方式のセットからの、送信のための低減された数の可能な変調方式に限定される、請求項３に記載の方法。
【請求項５】
前記複数のＮ−ＤＣＩｓのうちの１つのＮ−ＤＣＩがリソース割振りタイプを示す、請求項１に記載の方法。
【請求項６】
前記複数のＮ−ＤＣＩｓのうちの前記１つのＮ−ＤＣＩ中で搬送される情報の前記リソース割振りタイプは、前記複数のＮ−ＤＣＩｓのうちの前記１つのＮ−ＤＣＩが送信されるサブフレームまたはサブフレーム内のロケーションのうちの少なくとも１つに少なくとも部分的に依存する、請求項５に記載の方法。
【請求項７】
ユーザ機器（ＵＥ）によるワイヤレス通信の方法であって、
干渉するまたは潜在的に干渉する基地局あるいは１つまたは複数のセルのうちの少なくとも１つから複数のＮＡＩＣダウンリンク制御情報（Ｎ−ＤＣＩｓ）として送信されるネットワーク支援干渉消去（ＮＡＩＣ）情報を監視することと、ここにおいて、前記複数のＮ−ＤＣＩｓは、少なくとも第１のタイプのＮ−ＤＣＩおよび第２のタイプのＮ−ＤＣＩを備え、前記第１のタイプのＮ−ＤＣＩおよび前記第２のタイプのＮ−ＤＣＩは、異なるＮＡＩＣ情報を搬送する、
サービング基地局から信号を受信することと、
前記信号を処理するために、前記ＮＡＩＣ情報に基づいて干渉緩和を実行することと、
前記干渉緩和を実行する際に使用するための、利用可能な送信モード（ＴＭ）のセットからの、低減された数の可能なＴＭの指示を受信すること、ここにおいて、可能なＴＭの数が、半静的シグナリングによって低減される、を備える、方法。
【請求項８】
限られた量のＮＡＩＣ情報が前記複数のＮ−ＤＣＩｓのうちの１つのＮ−ＤＣＩ中で受信され、前記方法が、
追加のＮＡＩＣ情報を取得するために、ブラインド復号を利用することをさらに備える、請求項７に記載の方法。
【請求項９】
前記複数のＮ−ＤＣＩｓのうちの１つのＮ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、請求項７に記載の方法。
【請求項１０】
前記ビットマップが、利用可能な変調方式のセットからの、低減された数の可能な変調方式をさらに示し、前記方法は、
いずれの変調方式が使用されるかを決定するために、ブラインド復号を利用することをさらに備える、請求項９に記載の方法。
【請求項１１】
基地局によるワイヤレス通信の装置であって、
サービング基地局からの信号を処理するときに干渉緩和を実行する際にユーザ機器（ＵＥ）による使用のためのネットワーク支援干渉消去（ＮＡＩＣ）情報を生成するための手段と、
前記ＮＡＩＣ情報を複数のＮＡＩＣダウンリンク制御情報（Ｎ−ＤＣＩｓ）として前記ＵＥに送信するための手段と、ここにおいて、前記複数のＮ−ＤＣＩｓは、少なくとも第１のタイプのＮ−ＤＣＩおよび第２のタイプのＮ−ＤＣＩを備え、前記第１のタイプのＮ−ＤＣＩおよび前記第２のタイプのＮ−ＤＣＩは、異なるＮＡＩＣ情報を搬送する、
前記干渉緩和を実行する際に使用するための、利用可能な送信モード（ＴＭ）のセットからの、低減された数の可能なＴＭの指示を前記ＵＥに送信するための手段、ここにおいて、可能なＴＭの数が、半静的シグナリングによって低減される、を備える装置。
【請求項１２】
ユーザ機器（ＵＥ）によるワイヤレス通信の装置であって、
干渉するまたは潜在的に干渉する基地局あるいは１つまたは複数のセルのうちの少なくとも１つから複数のＮＡＩＣダウンリンク制御情報（Ｎ−ＤＣＩｓ）として送信されるネットワーク支援干渉消去（ＮＡＩＣ）情報を監視するための手段と、ここにおいて、前記複数のＮ−ＤＣＩｓは、少なくとも第１のタイプのＮ−ＤＣＩおよび第２のタイプのＮ−ＤＣＩを備え、前記第１のタイプのＮ−ＤＣＩおよび前記第２のタイプのＮ−ＤＣＩは、異なるＮＡＩＣ情報を搬送する、
サービング基地局から信号を受信するための手段と、
前記信号を処理するために、前記ＮＡＩＣ情報に基づいて干渉緩和を実行するための手段と、
前記干渉緩和を実行する際に使用するための、利用可能な送信モード（ＴＭ）のセットからの、低減された数の可能なＴＭの指示を受信するための手段、ここにおいて、可能なＴＭの数が、半静的シグナリングによって低減される、を備える装置。
【発明の詳細な説明】
【技術分野】
【０００１】
関連出願の相互参照
[0001]本出願は、その全体がともに参照により本明細書に組み込まれる、２０１４年１月３１日に出願された米国仮特許出願第６１／９３４，６５２号、および２０１５年１月１２日に出願された米国特許出願第１４／５９４，５７７号の利益を主張する。
【０００２】
[0002]本開示は、一般にワイヤレス通信に関し、より詳細には、ネットワーク支援干渉消去（ＮＡＩＣ：network assisted interference cancellation）シグナリングなど、干渉管理のための情報をシグナリングするための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE-Advanced）は、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートすることと、コストを下げることと、サービスを改善することと、新しいスペクトルを利用することと、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することとを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のシステム、方法、およびデバイスは、それぞれいくつかの態様を有し、それらのうちの単一の態様が単独で本開示の望ましい属性を担当するわけではない。次に、以下の特許請求の範囲によって表される本開示の範囲を限定することなしに、いくつかの特徴について手短に説明する。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００６】
[0006]本開示の態様は、ネットワーク支援干渉消去（ＮＡＩＣ）シグナリングなど、干渉管理のための情報をシグナリングするための装置、方法、処理システム、およびコンピュータプログラム製品を提供する。
【０００７】
[0007]本開示のいくつかの態様は、干渉するまたは潜在的に干渉する基地局（ＢＳ）によるワイヤレス通信のための方法を提供する。本方法は、概して、サービングＢＳからの信号を処理するときに干渉緩和を実行する際にユーザ機器（ＵＥ）による使用のための情報を生成することと、情報をＵＥに送信することとを含む。
【０００８】
[0008]本開示のいくつかの態様は、ＵＥによるワイヤレス通信のための方法を提供する。本方法は、概して、干渉するまたは潜在的に干渉するＢＳあるいは１つまたは複数のセルのうちの少なくとも１つからの情報を監視することと、サービングＢＳから信号を受信することと、信号を処理するために、情報に基づいて干渉緩和を実行することとを含む。
【０００９】
[0009]本開示のいくつかの態様は、干渉するまたは潜在的に干渉するＢＳによるワイヤレス通信のための装置を提供する。本装置は、概して、サービングＢＳからの信号を処理するときに干渉緩和を実行する際にＵＥによる使用のための情報を生成するための手段と、情報をＵＥに送信するための手段とを含む。
【００１０】
[0010]本開示のいくつかの態様は、ＵＥによるワイヤレス通信のための装置を提供する。本装置は、概して、干渉するまたは潜在的に干渉するＢＳあるいは１つまたは複数のセルのうちの少なくとも１つからの情報を監視するための手段と、サービングＢＳから信号を受信するための手段と、信号を処理するために、情報に基づいて干渉緩和を実行するための手段とを含む。
【００１１】
[0011]本開示のいくつかの態様は、干渉するまたは潜在的に干渉するＢＳによるワイヤレス通信のための装置を提供する。本装置は、概して、サービングＢＳからの信号を処理するときに干渉緩和を実行する際にＵＥによる使用のための情報を生成することと、情報をＵＥに送信することとを行うように構成された少なくとも１つのプロセッサと、少なくとも１つのプロセッサに結合されたメモリとを含む。
【００１２】
[0012]本開示のいくつかの態様は、ＵＥによるワイヤレス通信のための装置を提供する。本装置は、概して、干渉するまたは潜在的に干渉するＢＳあるいは１つまたは複数のセルのうちの少なくとも１つからの情報を監視することと、サービングＢＳから信号を受信することと、信号を処理するために、情報に基づいて干渉緩和を実行することとを行うように構成された少なくとも１つのプロセッサと、少なくとも１つのプロセッサに結合されたメモリとを含む。
【００１３】
[0013]本開示のいくつかの態様は、干渉するまたは潜在的に干渉するＢＳによるワイヤレス通信のための命令を記憶したコンピュータ可読を提供する。上記命令は、概して、サービングＢＳからの信号を処理するときに干渉緩和を実行する際にＵＥによる使用のための情報を生成することと、情報をＵＥに送信することとを行うための命令を含む。
【００１４】
[0014]本開示のいくつかの態様は、ＵＥによるワイヤレス通信のための命令を記憶したコンピュータ可読を提供する。上記命令は、概して、干渉するまたは潜在的に干渉するＢＳあるいは１つまたは複数のセルのうちの少なくとも１つからの情報を監視することと、サービングＢＳから信号を受信することと、信号を処理するために、情報に基づいて干渉緩和を実行することとを行うための命令を含む。
【００１５】
[0015]本開示のいくつかの態様は、干渉するまたは潜在的に干渉するＢＳによるワイヤレス通信のための方法を提供する。本方法は、概して、サービング基地局からの信号を処理するときに干渉消去または抑制を実行する際にＵＥによる使用のためのＮＡＩＣ情報を１つまたは複数のセルがどのように送信するかの指示を生成することと、指示をＵＥに送信することとを含む。
【００１６】
[0016]本開示のいくつかの態様は、ＵＥによるワイヤレス通信のための方法を提供する。本方法は、概して、１つまたは複数のセルがＮＡＩＣ情報をどのように送信するかの指示を受信することと、ＮＡＩＣ情報を取得するために１つまたは複数のセルを監視するために指示を使用することと、ＮＡＩＣ情報を使用してサービング基地局からの信号を処理するときに干渉消去または抑制を実行することとを含む。
【００１７】
[0017]本開示のいくつかの態様は、干渉するまたは潜在的に干渉する基地局によるワイヤレス通信のための装置を提供する。本方法は、概して、ＮＡＩＣ情報を生成することと、サービング基地局からの信号を処理するときに干渉消去または抑制を実行する際に使用するためのダウンリンク制御情報（Ｎ−ＤＣＩ）として、サービング基地局によってサービスされるＵＥにＮＡＩＣ情報を送信することとを含む。
【００１８】
[0018]本開示のいくつかの態様は、ＵＥによるワイヤレス通信のための方法を提供する。本方法は、概して、干渉するまたは潜在的に干渉するＢＳからＮ−ＤＣＩとしてＮＡＩＣ情報を受信することと、ＮＡＩＣ情報を使用してサービングＢＳからの信号を処理するときに干渉消去または抑制を実行することとを含む。
【００１９】
[0019]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００２０】
[0020]本開示の上述の特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００２１】
【図１】[0021]本開示のいくつかの態様による、ネットワークアーキテクチャの一例を示す図。
【図２】[0022]本開示のいくつかの態様による、アクセスネットワークの一例を示す図。
【図３】[0023]本開示のいくつかの態様による、ロングタームエボリューション（ＬＴＥ）におけるダウンリンク（ＤＬ）フレーム構造の一例を示す図。
【図４】[0024]本開示のいくつかの態様による、ＬＴＥにおけるアップリンク（ＵＬ）フレーム構造の一例を示す図。
【図５】[0025]本開示のいくつかの態様による、ユーザプレーンおよび制御プレーンのための無線プロトコルアーキテクチャの一例を示す図。
【図６】[0026]本開示のいくつかの態様による、アクセスネットワーク中の発展型ノードＢ（ｅＮＢ）およびユーザ機器（ＵＥ）の一例を示す図。
【図７】[0027]本開示のいくつかの態様による、基地局（ＢＳ）によって実行され得る例示的な動作を示す図。
【図７Ａ】[0028]本開示のいくつかの態様による、図７に示された動作を実行することが可能な例示的な手段を示す図。
【図８】[0029]本開示のいくつかの態様による、ＵＥによって実行され得る例示的な動作を示す図。
【図８Ａ】[0030]本開示のいくつかの態様による、図８に示された動作を実行することが可能な例示的な手段を示す図。
【図９】[0031]本開示のいくつかの態様による、ＢＳによって実行され得る例示的な動作を示す図。
【図１０】[0032]本開示のいくつかの態様による、ＵＥによって実行され得る例示的な動作を示す図。
【発明を実施するための形態】
【００２２】
[0033]理解を容易にするために、可能な場合、各図に共通である同じ要素を指定するために同じ参照番号が使用されている。一実施形態において開示する要素が、特定の具陳なしに他の実施形態に対して有益に利用され得ることが企図される。
【００２３】
[0034]本開示は、ネットワーク支援干渉消去（ＮＡＩＣ）シグナリングなど、干渉管理のための情報をシグナリング（たとえば、動的シグナリング）することに関する。ＵＥに情報をシグナリングするための技法および装置が本明細書で提供される。たとえば、態様は、リソース割振りシグナリングのための圧縮、ならびに変調および送信モードシグナリングのためのビットの低減によって、異なる情報コンテンツをもつ複数のダウンリンク制御情報（ＤＣＩ）をシグナリングすることを含む。態様では、シグナリングは、動的シグナリング、半静的シグナリングおよび／または静的シグナリングであり得る。態様では、シグナリングは、ブロードキャスト、マルチキャストおよび／またはユニキャストシグナリングであり得る。ただし、異なるタイプのシグナリングが利用され得る。
【００２４】
[0035]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２５】
[0036]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２６】
[0037]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００２７】
[0038]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
例示的なワイヤレス通信システム
[0039]図１は、本開示の態様が実施され得る例示的なネットワークアーキテクチャ１００を示す図である。たとえば、ｅＮＢ１０６は、ネットワーク支援干渉消去（ＮＡＩＣ）情報を生成し得、ダウンリンク制御情報（ＤＣＩ）としてＵＥ１００にその情報を送信し得る。ｅＮＢ１０６は、ｅＮＢ１０６またはネイバーセルのうちの少なくとも１つがＤＣＩをどのように送信するかの指示を生成し、指示をＵＥ１１０に送信し得る。ＵＥ１１０は、ＤＣＩを監視し、ＤＣＩに基づいて干渉緩和を実行し得る。
【００２８】
[0040]ネットワークアーキテクチャ１００は、たとえば、ロングタームエボリューション（ＬＴＥ）アーキテクチャであり得、発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００２９】
[0041]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、基地トランシーバ局、無線基地局、無線トランシーバ、トランシーバ機能、基本サービスセット（ＢＳＳ：basic service set）、拡張サービスセット（ＥＳＳ：extended service set）、アクセスポイント、または何らかの他の好適な用語で呼ばれることもある。ｅＮＢ１０６は、ＵＥ１０２にＥＰＣ１１０へのアクセスポイントを与え得る。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、ウルトラブック、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３０】
[0042]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネット、イントラネット、ＩＰマルチメディアサブシステム（ＩＭＳ：IP Multimedia Subsystem）、およびＰＳ（パケット交換）ストリーミングサービス（ＰＳＳ：PS Streaming Service）を含み得る。このようにして、ＵＥ１０２は、ＬＴＥネットワークを通してＰＤＮに結合され得る。
【００３１】
[0043]図２は、本開示の態様が実施され得るアクセスネットワーク２００の一例を示す図である。たとえば、ＵＥ２０６は、それぞれ、図８および図１０に示されている動作８００および１０００を実行し得、マクロｅＮＢ２０４またはより低い電力クラスのｅＮＢ２０８は、それぞれ、図７および図９に示されている動作７００および９００を実行し得る。
【００３２】
[0044]たとえば、ｅＮＢ２０４は、ＮＡＩＣ情報を生成し得、ＤＣＩとしてＵＥ２０６にその情報を送信し得る。ｅＮＢ２０４は、ｅＮＢ２０４またはネイバーセルのうちの少なくとも１つ（たとえば、ｅＮＢ２０８またはセルラー領域２１０）がＤＣＩをどのように送信するかの指示を生成し、指示をＵＥ２０６に送信し得る。ＵＥ２０６は、ＤＣＩを監視し、ＤＣＩに基づいて干渉緩和を実行し得る。
【００３３】
[0045]例示的なアクセスネットワーク２００は、たとえば、ＬＴＥネットワークアーキテクチャであり得る。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８はリモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ネットワーク２００はまた、１つまたは複数のリレー（図示せず）を含み得る。一適用例によれば、ＵＥはリレーとして働き得る。
【００３４】
[0046]アクセスネットワーク２００によって利用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を利用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを利用するユニバーサル地上波無線アクセス（ＵＴＲＡ：Universal Terrestrial Radio Access）、ＴＤＭＡを利用するモバイル通信用グローバルシステム（ＧＳＭ（登録商標）：Global System for Mobile Communications）、ならびに、ＯＦＤＭＡを利用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。利用される実際のワイヤレス通信規格および多元接続技術は、特定の適用例およびシステムに課される全体的な設計制約に依存することになる。
【００３５】
[0047]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００３６】
[0048]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３７】
[0049]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００３８】
[0050]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボルを含んでおり、すなわち８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、Ｒ３０４として示されるリソース要素のうちのいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００３９】
[0051]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ）をもつ各無線フレームのサブフレーム０および５の各々中のシンボル期間６および５中で送られ得る。同期信号はセル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨは、あるシステム情報を搬送し得る。
【００４０】
[0052]ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。
【００４１】
[0053]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００４２】
[0054]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間において、利用可能なＲＥＧから選択され得る、９個、１８個、３６個、または７２個のＲＥＧを占有し得る。ＲＥＧのいくつかの組合せのみがＰＤＣＣＨに対して可能にされ得る。本方法および装置の態様において、サブフレームは、２つ以上のＰＤＣＣＨを含み得る。
【００４３】
[0055]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００４４】
[0056]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００４５】
[0057]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００４６】
[0058]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００４７】
[0059]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００４８】
[0060]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４９】
[0061]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００５０】
[0062]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００５１】
[0063]図６は、本開示の態様が実行され得るアクセスネットワークにおいてＵＥ６５０と通信しているｅＮＢ６１０のブロック図である。たとえば、ＵＥ６５０におけるコントローラ／プロセッサ６５９ならびに／または他のプロセッサおよびモジュールは、動作、たとえば、図８中の動作８００および図１０中の例示的な動作１０００および／または、たとえば、本明細書で説明する技法のための他のプロセスを実行または指示し得る。ｅＮＢ６１０におけるコントローラ／プロセッサ６７５ならびに／または他のプロセッサおよびモジュールは、動作、たとえば、図７中の動作７００および図９中の例示的な動作９００および／または、たとえば、本明細書で説明する技法のための他のプロセスを実行または指示し得る。態様では、例示的な動作７００、８００、９００、１０００および／または本明細書で説明する技法のための他のプロセスを実行するために、図６に示された構成要素のいずれかのうちの１つまたは複数が利用され得る。
【００５２】
[0064]ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。
【００５３】
[0065]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００５４】
[0066]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００５５】
[0067]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００５６】
[0068]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００５７】
[0069]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５８】
[0070]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００５９】
[0071]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。コントローラ／プロセッサ６７５、６５９は、それぞれ、ｅＮＢ６１０における動作およびＵＥ６５０における動作を指示し得る。
例示的な干渉管理情報シグナリング
[0072]ネットワーク支援干渉消去（ＮＡＩＣ）は、概して、たとえば、ＵＥにおける作業負荷を低減することによって、干渉緩和、消去などを助けるために、ネットワークがユーザ機器（ＵＥ）に干渉情報をシグナリングすることを可能にする。ＮＡＩＣは、たとえば、シンボルレベル干渉消去（ＳＬＩＣ：symbol level interference cancellation）をサポートする受信機、演算量削減型最尤（Ｒ−ＭＬ：reduced complexity maximum likelihood）受信機、拡張最小平均２乗誤差（Ｅ−ＭＭＳＥ−ＩＲＣ：enhanced minimum mean square error）受信機、またはコードワードレベル干渉消去（ＣＷＩＣ：codeword level interference cancellation）をサポートする受信機上で実装され得る。
【００６０】
[0073]高度干渉管理技法は、たとえば、所望の信号および干渉のためのジョイントＭＬ検出によるＭＭＳＥ干渉除去およびマルチユーザ検出（ＭＵＤ：multi-user detection）による干渉抑制（ＩＳ：interference suppression）を含み得る。ＳＬＩＣの場合、各トーンは独立して扱われ得、物理ダウンリンク共有チャネル（ＰＤＳＣＨ）送信を符号化するために使用されるコーディング方式は無視され得る。各トーン（たとえば、シンボル）のために、最も可能性がある送信されたビットが、採用された空間方式と変調フォーマットとに基づいて推定され得る。次いで、干渉信号の推定値がそれに応じて再構成される。ＣＷＩＣの場合、（たとえば、ＰＤＳＣＨのためのターボコーディングの誤り訂正能力を活用するために）ＵＥが消去することを希望し得る各ＰＤＳＣＨペイロードを送信するために干渉物によって使用されるコーディング方式が、考慮に入れられ得る。一般に、（たとえば、高い信号干渉対雑音比（ＳＩＮＲ）の下で）たとえば、信頼できるターボ復号である限り、再構成された干渉信号はＳＬＩＣにおいてよりもＣＷＩＣにおいてより信頼できる。
【００６１】
[0074]進歩受信機技法（たとえば、ＳＬＩＣまたはＣＷＩＣなど）を実行するために、干渉情報は受信機にシグナリングされ得る。高度受信機は、変調次数、干渉物の存在、および／または干渉のプリコーディング行列など、いくつかのパラメータをブラインド検出し得る。追加または代替として、ｅＮＢは受信機に干渉情報をシグナリングし得る。
【００６２】
[0075]ＮＡＩＣシグナリングは様々な様式で実行され得る。いくつかの態様では、ＮＡＩＣをサポートするサービングセルは、（たとえば、送信モード、トラフィック対パイロット（Ｔ２Ｐ）値、および／または仮想セルＩＤ（ＶＣＩＤ）の無線リソース制御（ＲＲＣ）シグナリングを介した）干渉情報の半静的シグナリングを実行し得る。代替的に、サービングセルは、たとえば、干渉物の変調次数、干渉物のプリコーディング行列、および／またはリソースブロック（ＲＢ）割当てなど、干渉情報を動的にシグナリングすることができる。いくつかの態様では、干渉セルは、干渉セルからの干渉を経験するセルと通信するＵＥに干渉状態をシグナリングし得る。
【００６３】
[0076]いくつかの態様では、干渉物の、サブフレームごとのリソースブロック（ＲＢ）ごとの干渉存在、送信モード、プリコーディング、ランク、Ｔ２Ｐなど、多数のパラメータがネットワーク支援のためにシグナリングされる。これは、ダウンリンク制御情報（ＤＣＩ）が扱うことが可能でないことがある多く（たとえば、数百）のビットのシグナリングにつながり得る。
【００６４】
[0077]ＰＤＳＣＨリソース割振りタイプ０の場合、ダウンリンク（ＤＬ）ＲＢはＲＢグループ（ＲＢＧ）に分割され得る。たとえば、５ＭＨｚのためのＲＢＧ２、１０ＭＨｚのためのＲＢＧ３、および２０ＭＨｚのためのＲＢＧ４がある。リソース割振りは、いずれのＲＢＧが送信されるかを示すために、ビットマップ（たとえば、１１０個のＲＢのために２８ビット）を使用してシグナリングされ得る。ＲＢＧのサイズＰはシステム帯域幅
【００６５】
【数１】
0006469712.tif 000002
【００６６】
に依存し得る。たとえば、ＲＢＧサイズは、１０に等しいかまたはそれよりも小さい
【００６７】
【数２】
0006469712.tif 000003
【００６８】
の場合１であり、ＲＢＧサイズは、１１〜２６の
【００６９】
【数３】
0006469712.tif 000004
【００７０】
の場合２であり、ＲＢＧサイズは、２７〜６３の
【００７１】
【数４】
0006469712.tif 000005
【００７２】
の場合３であり、ＲＢＧサイズは、６４〜１１０の
【００７３】
【数５】
0006469712.tif 000006
【００７４】
の場合４である。
【００７５】
[0078]ＰＤＳＣＨリソース割振りタイプ１の場合、ＲＢＧは、さらに、サブセット（たとえば、２つ、３つ、または４つのサブセット）にグループ化され得る。サブセットはＵＥに示され得、ならびにビットマップは、いずれのＲＢがサブセット中のＲＢＧの各々内で送信のために使用されるかを示す。いくつかの態様では、サブセット内に可能な追加シフトがある。
【００７６】
[0079]ＰＤＳＣＨリソース割振りタイプ２は、局所仮想ＲＢ（ＶＲＢ）および／または分散ＶＲＢを採用し得る。局所ＶＲＢの場合、連続ＲＢ割振りが、開始ＲＢおよびＲＢの数に関してシグナリングされ得る。分散ＶＲＢの場合、ＲＢは周波数領域にわたって散乱され得る。分散ＶＲＢはＤＣＩフォーマット１Ｃのために使用され得る。
【００７７】
[0080]一般に、ｅＮＢはＲＢごとにスケジュールすることができる。たとえば、１００個のＲＢを用いる２０ＭＨｚシステムの場合、ｅＮＢは、いずれのＲＢが干渉を有するかを示すために、１００ビットを使用するか、またはサブフレーム内にホッピングがある場合、１００ビット超を使用し得る。
【００７８】
[0081]したがって、ネットワーク支援のための多数のパラメータをシグナリングすること、ＮＡＩＣのためのブロードキャストＤＣＩを構成すること、リソース割振り、およびＮＡＩＣのための送信方式／送信モード（ＴＭ）（たとえば、従来、１０個のＴＭがサポートされ、これは、すべてのＴＭがブラインド復号される場合、受信機における複雑さにつながり得る）のための技法が望ましい。
【００７９】
[0082]ＵＥに情報をシグナリングするための技法および装置が本明細書で提供される。たとえば、態様では、そのようなシグナリングは、リソース割振りシグナリングのための圧縮、ならびに変調および送信モードシグナリングのためのビットの低減によって、異なる情報コンテンツをもつ複数のＤＣＩをシグナリングすることを含む。
例示的なＮＡＩＣ  ＤＣＩ（Ｎ−ＤＣＩ）構成指示
[0083]いくつかの態様によれば、セル（たとえば、セルラー領域２０２または低電力セル２０８など）は、ユーザ機器（ＵＥ）（たとえば、ＵＥ２０６など）が、ＵＥのサービング基地局（たとえば、マクロｅＮＢ２０４）からの信号を処理するときに干渉緩和（たとえば、抑制または消去）を実行するために使用する情報を送信し得る。たとえば、セルは、ダウンリンク制御情報（Ｎ−ＤＣＩ）としてネットワーク支援干渉消去（ＮＡＩＣ）情報をブロードキャストし得る。ＵＥは、セルから取得されたＮＡＩＣ情報を使用して干渉を緩和するために、Ｎ−ＤＣＩを監視し得る。
【００８０】
[0084]いくつかの態様によれば、ＵＥはいくつのセルがＮ−ＤＣＩを監視すべきか、およびいずれのセルがＮ−ＤＣＩを監視すべきかを決定し得る。ＵＥは、ネイバリングセルによるブロードキャストＤＣＩの構成について（たとえば、サービングセルまたは非サービングセルによって）通知され得る。たとえば、ＵＥはｅＮＢにＭ個のネイバーセルを報告し得、ｅＮＢはＭ個のネイバーセルのうちのＮ個のセル（たとえば、Ｍ個のネイバーセルのすべてまたはサブセット）からのブロードキャストＮ−ＤＣＩの構成を与え得る。ＵＥは、次いで、ブロードキャストＮ−ＤＣＩについてＭ個のネイバーセルのうちのＫ個のセル（たとえば、Ｍ個のネイバーセルのすべてまたはサブセット）を監視し得る。ＵＥによって監視されるネイバーセルの数Ｋは、たとえば、ＵＥ能力、ブラインド復号要件などに依存し得る。（たとえば、Ｎがどんなに大きくても）すべてのブラインド復号要件を満たすために、すべてのブラインド復号は固定されたままであり得る。代替的に、Ｎおよび／またはＫは、（たとえば、物理ダウンリンク共有チャネル（ＰＤＳＣＨ）リソース要素（ＲＥ）マッピングおよび擬似コロケーションインジケータ（ＰＱＩ）ビットに基づく）擬似コロケーション情報にも依存し得る。ＵＥは、いずれのセルが現在のサービングセルであり、いずれのセルが干渉セルであるかを決定し得る。
【００８１】
[0085]いくつかの態様によれば、ＵＥは、いずれのセルがＮ−ＤＣＩを監視すべきかを自律的に識別し得る。たとえば、Ｎ−ＤＣＩ構成は、固定され得るか、またはシステム情報ブロック（ＳＩＢ）中でセルによってブロードキャストされ得る。
Ｎ−ＤＣＩが有効である持続時間の例示的な指示
[0086]いくつかの態様によれば、また、Ｎ−ＤＣＩ（たとえば、Ｎ−ＤＣＩ中のＮＡＩＣ情報）がどのくらいの時間の間有効であるかをＵＥが知ることは望ましいことがある。いくつかの態様によれば、Ｎ−ＤＣＩは、それが受信されたサブフレーム上でのみ有効であり得る。代替的に、Ｎ−ＤＣＩは、それが受信されたサブフレーム上で有効であり、後続のサブフレームのためにも有効であり得る。たとえば、Ｎ−ＤＣＩは、別のＮ−ＤＣＩが受信されるまで有効なままであり得、Ｎ−ＤＣＩは構成可能な時間ウィンドウの間有効であり得、および／またはＮ−ＤＣＩはブロードキャストＤＣＩの同じ周期性内で有効であり得る。いくつかの態様によれば、Ｎ−ＤＣＩは、それが受信された後Ｋサブフレーム有効であり得る（たとえば、拡張干渉管理およびトラフィック適応（ｅＩＭＴＡ：enhanced interference management and traffic adaptation）と同様の３ｍｓ）。いくつかの態様によれば、Ｎ−ＤＣＩペイロードは、Ｎ−ＤＣＩがどのくらいの時間の間有効であるかを示し得る。いくつかの態様によれば、ｅＮＢ構成は、Ｎ−ＤＣＩの有効性、および／またはＮ−ＤＣＩがその後に受信され、Ｎ−ＤＣＩがその間有効であるサブフレームの数Ｋを示し得る。
例示的な圧縮Ｎ−ＤＣＩコーディング
[0087]いくつかの態様によれば、Ｎ−ＤＣＩは、圧縮コーディングを使用して送られ得る。Ｎ−ＤＣＩ中で搬送されるべき情報は、干渉を有するかまたは潜在的に有するＲＢを示すために、および変調次数、プリコーディング、ランクなどを示すために、１５０ビット程度であり得る。例示的な実装形態では、複数のＮ−ＤＣＩが同じセルからシグナリングされ得る。複数のＮ−ＤＣＩは、異なる情報を搬送し得る。たとえば、セルは、限られた情報をキャリアするショートＮ−ＤＣＩと、詳細な情報を搬送するロングＮ−ＤＣＩとをシグナリングし得る。ｅＮＢはショートＮ−ＤＣＩとロングＮ−ＤＣＩの両方を送り得るか、またはｅＮＢは、ショートＮ−ＤＣＩまたはロングＮ−ＤＣＩのいずれかをシグナリングすることを選択し得、ＵＥがブラインド復号を実行することに依拠し得る。いくつかの態様によれば、あるＮ−ＤＣＩはリソース割振り情報を搬送し得、別のＮ−ＤＣＩは送信モード（ＴＭ）情報などを搬送し得る。このようにして、ＮＡＩＣ情報を与え得るパラメータに関連付けられたＮ−ＤＣＩがシグナリングされ得る。別の例示的な実装形態では、Ｎ−ＤＣＩは、ワーストケースコーディングではなく、情報ビットのベストエフォート符号化を用いてコーディングされ得る。たとえば、一般的ケースは平均２００ビットを使用し得、ワーストケース（たとえば、コーナーケース）は１０００ビットを使用し得る。ベストエフォート符号化の場合、２００ビットのみが使用され得、Ｎ−ＤＣＩに収まらない情報は何でも、ＵＥによるブラインド復号に依拠し得る。
リソース割振りの例示的なＮ−ＤＣＩ指示
[0088]いくつかの態様によれば、Ｎ−ＤＣＩは、いずれのＲＢおよび／またはリソースブロックグループ（ＲＢＧ）が、存在する干渉を有するかまたは干渉を潜在的に有するかを示し得る。総当たり（brute-force）の指示手法は、干渉が存在するか否かを示すために、各ＲＢのために１ビットを使用し得る。このタイプの手法は、多数ビット（たとえば、１００個のＲＢ上の干渉の存在を示すために１００ビット）を使用し得る。場合によっては、Ｎ−ＤＣＩは、このタイプの手法が実現可能であるための十分なビットを搬送しないことがある。
【００８２】
[0089]いくつかの態様によれば、ｅＮＢは、干渉状態を示すビットマップをシグナリングし得る。例示的な実装形態では、ビットマップにおける各ビットは、ＲＢＧのグループ（たとえば、２つ、３つ、または４つのＲＢＧ）に対応し得る。この手法は、総当たりの手法よりも少ないビット（たとえば、１００個のＲＢのために２５ビット）を使用し得る。
【００８３】
[0090]いくつかの態様によれば、さらなる制限がリソース割振りに適用され得、リソース割振りは、より粗いグラニュラリティにおいてシグナリングされ得る。たとえば、ＤＣＩフォーマット１ｃと同様の制限が適用され得る（たとえば、１０ＭＨｚ未満の場合、２のＮ＿ＲＢ＾ｓｔｅｐであり、１０ＭＨｚ超の場合、４のＮ＿ＲＢ＾ｓｔｅｐであり、長さはＮ＿ＲＢ＾Ｓｔｅｐの倍数である）。代替的に、物理リソースブロック（ＰＲＢ）バンドリングと同様の制限（たとえば、ＰＲＢのさらなるバンドリング）が、複数のＰＲＢが割当てにおいてバンドルされるように適用され得る。いくつかの態様によれば、より粗いリソース割振りシグナリングのためのグラニュラリティは、「Ｎ−ＲＢＧ」と呼ばれることがある。Ｎ−ＲＢＧはＲＢＧよりも大きいことがある。
【００８４】
[0091]いくつかの態様によれば、（たとえば、ビットマップにおいて）ＲＢＧまたはＮ−ＲＢＧレベルにおいてシグナリングするとき、バイナリビット値は、ＮＡＩＣが実行されるべきであるか否かを示し得る（たとえば、１は、ＮＡＩＣを実行することを示し得、０は、ベストエフォートにおいてＮＡＩＣを実行するか、またはＮＡＩＣを実行しないことを示し得る）。いくつかの態様によれば、バイナリビット値はまた、いずれのＲＢ／ＲＢＧ／Ｎ−ＲＢＧが干渉を有するかを示し得る（たとえば、１は、干渉が存在するかまたは潜在的に存在することを示し得、０は、干渉が存在しないことを示し得る）。いくつかの態様によれば、１のビット値は、干渉がシグナリングされることを示し得、０のビット値は、ブラインド検出がＲＢ、ＲＢＧ、および／またはＮ−ＲＢＧのために実行されるべきであることを示し得る。
【００８５】
[0092]いくつかの態様によれば、リソース割振りタイプ２は、たとえば、ＳＩＢおよび／またはページングなどのブロードキャストメッセージのために、周波数ダイバーシティを活用し得る（たとえば、ＵＥは、サブフレーム中の異なるスロット中の異なるＲＢことができる）。例示的な実装形態では、リソース割振りタイプ２はいくつかのサブフレームのみに制限され得る。たとえば、リソース割振りタイプ２は、周波数分割複信（ＦＤＤ）のためにサブフレーム０、４、５、および９に制限され得、時分割複信（ＴＤＤ）のためにサブフレーム０、１、５、および６に制限され得る。他のサブフレームの場合、リソース割振りタイプ２はＮＡＩＣとともに使用されないことがある。代替的に、リソース割振りタイプ２は、ＮＡＩＣが有効にされたとき、ユニキャストでなくブロードキャストのみに制限され得る。いくつかの態様によれば、制限は、より効率的な動作を可能にするために、受信機にシグナリングされ得る（たとえば、サブフレームごとのＩＣ処理ではなくスロットごとのＩＣ処理を実行する）。
【００８６】
[0093]いくつかの態様によれば、Ｎ−ＤＣＩが（たとえば、サブフレーム中で）どこで送信されるかに応じて、Ｎ−ＤＣＩの解釈は異なり得る。たとえば、Ｎ−ＤＣＩが、ＦＤＤのためにサブフレーム０、４、５、または９上で、あるいはＴＤＤのためにサブフレーム０、１、５、または６上で受信される場合、Ｎ−ＤＣＩは、リソース割振りタイプ２を想定して、またはリソース割振りタイプ２とリソース割振りタイプ０の両方（たとえば、ブロードキャストのためにＲＡタイプ２、ユニキャストのためにＲＡタイプ０）を仮定して解釈され得る。Ｎ−ＤＣＩが他のサブフレーム上で受信される場合、Ｎ−ＤＣＩはＲＡタイプ０またはＲＡタイプ１を仮定して解釈され得る。代替的に、リソース割振りタイプは、ＲＡタイプ０、タイプ１、またはタイプ２を示すために、たとえば、１または２ビットを使用してＮ−ＤＣＩ中でシグナリングされ得る。
変調の例示的なシグナリング
[0094]いくつかの態様によれば、ｅＮＢは変調次数をシグナリングし得る。変調のシグナリングは、（たとえば、４位相シフトキーイング（ＱＰＳＫ）、１６直交振幅変調（ＱＡＭ）、６４ＱＡＭまたは２５６ＱＡＭを示すために）２ビットを使用し得る。例示的な実装形態では、変調次数のシグナリングは、ブラインド検出と組み合わせられ得る（たとえば、３つのレベルを示すための１ビット）。たとえば、０のビット値はＱＰＳＫまたは１６ＱＡＭを示し得、１のビット値は、ＱＰＳＫまたは６４ＱＡＭを示し得る。ＵＥは、変調がＱＰＳＫであるのか１６／６４ＱＡＭであるのかを決定するために、ブラインド復号を実行し得る。
【００８７】
[0095]いくつかの態様によれば、すべての割当てのために変調の限られたセット（たとえば、（たとえば、１のビット値で示される）、干渉をもつすべてのＮ−ＲＢＧのためのＱＰＳＫまたは１６ＱＡＭ）があり得る。代替的に、すべての割当ては同じ変調（たとえば、干渉（ones）をもつすべてのＮ−ＲＢＧのためのＱＰＳＫ）を有し得る。
送信モードの例示的なシグナリング
[0096]いくつかの態様によれば、ネイバーセルの送信方式シグナリングがシグナリングされ得る。この情報はＮＡＩＣ動作に有用であり得る。いくつかの態様によれば、送信モードは半静的にまたは動的にシグナリングされ得る。たとえば、サポートされる送信モードの制限されたセットが半静的にシグナリングされ得る。代替的に、制限された送信モードセットは、たとえば、追加の動的シグナリング（たとえば、２ビット）を使用してＮ−ＲＢＧごとにシグナリングされ得る。
【００８８】
[0097]いくつかの態様によれば、Ｎ−ＤＣＩは、後続のサブフレームのための送信方式を示し得る。代替的に、送信方式はサブフレーム依存的であり得る。たとえば、いくつかのサブフレーム中で、送信方式は復調基準信号（ＤＭ−ＲＳ）ベースであり得、他のサブフレーム中で、送信方式はセル固有基準信号（ＣＲＳ）ベースであり得、さらに他のサブフレーム中で、送信方式は、たとえば、ＤＭ−ＲＳおよびＣＲＳベースであり得る。いくつかの態様によれば、いずれの送信方式がサブフレームのために使用されるべきであるかを示すために、動的シグナリングが使用され得る。
キャリアアグリゲーションを用いた例示的なＮ−ＤＣＩシグナリング
[0098]いくつかの態様によれば、Ｎ−ＤＣＩは、単一のコンポーネントキャリア（ＣＣ）を使用してシグナリングされ得る。干渉情報は、キャリアアグリゲーション（ＣＡ）をサポートするシステムにおいてクロスキャリアで示され得る。言い換えれば、１つのＣＣ上で送られる干渉情報は、異なるＣＣ上での干渉管理のために使用され得る。この場合、ＵＥ固有マッピングの代わりに、たとえば、キャリアインジケータフィールド（ＣＩＦ）へのＣＣの固定マッピングがあり得る。いくつかの態様によれば、干渉情報はクロスサブフレームで示され得る。この場合、１つのサブフレーム中で送られる干渉情報は、別のサブフレーム中での干渉管理使用され得る。
【００８９】
[0099]いくつかの態様によれば、各ＣＣ上で異なるＮ−ＤＣＩ指示が送られ得る。ＵＥは、いずれのＣＣがＮ−ＤＣＩを有し得るかに関する情報を用いて半静的に構成され得る。
ＭＢＳＦＮの例示的なＮ−ＤＣＩ指示
[0100]いくつかの態様によれば、Ｎ−ＤＣＩは、マルチキャストブロードキャスト単一周波数ネットワーク（ＭＢＳＦＮ）が有効にされるかどうかを示し得る。たとえば、指示を与えるための１ビットがＮ−ＤＣＩ中に含まれ得る。指示は、たとえば、半静的にシグナリングされ得る。これは、バックホール交換がない場合、有用であり得る。
【００９０】
[0101]いくつかの態様によれば、ＤＭ−ＲＳベースのＰＤＳＣＨがＭＢＳＦＮサブフレーム中で送信されるかどうか、またはマルチメディアブロードキャストマルチキャストサービス（ＭＢＭＳ）がＭＢＳＦＮサブフレーム中で送信されるかどうかを示すための１ビットがＮ−ＤＣＩ中に含まれ得る。いくつかの態様によれば、指示は、いずれのＲＢＧまたはサブフレームに対してＮＡＩＣ動作が実行されるべきであるかをシグナリングする同じＮ−ＤＣＩビットによって与えられ得る。いくつかの態様によれば、ＮＡＩＣが拡張物理ダウンリンク制御チャネル（ｅＰＤＣＣＨ）を使用してシグナリングされるべきである場合、Ｎ−ＤＣＩが受信されるときにＭＢＭＳでのｅＰＤＣＣＨまたは非ＩＣ（またはブラインド検出ベースのＩＣ）に対するＵＥフォールバックモードがないので、クロスサブフレーム指示が使用され得る。
例示的な干渉管理情報シグナリング動作
[0102]図７に、本開示のいくつかの態様による、ワイヤレス通信のための例示的な動作７００を示す。動作７００は、たとえば、干渉するまたは潜在的に干渉するＢＳ（たとえば、マクロセル２０４またはフェムトセル２０８など）によって実行され得る。動作７００は、７０２において、サービングＢＳからの信号を処理するときに干渉緩和（たとえば、抑制または消去）を実行する際にＵＥによる使用のための情報（たとえば、ＮＡＩＣ情報）を生成することによって開始する。
【００９１】
[0103]７０４において、干渉するまたは潜在的に干渉するＢＳは、ＵＥに情報を（たとえば、Ｎ−ＤＣＩとして）送信する。いくつかの態様によれば、干渉するまたは潜在的に干渉するＢＳは、異なる情報をもつ複数のＮ−ＤＣＩ（たとえば、少なくとも第１のタイプおよび第２のタイプ）を送信し得る。あるＮ−ＤＣＩは他のＮ−ＤＣＩよりもより詳細な情報を含み得る。たとえば、Ｎ−ＤＣＩの第１のタイプはリソース割振り情報を含み得、Ｎ−ＤＣＩの第２のタイプは送信モード情報を含み得る。代替的に、限られた量のＮＡＩＣ情報が、ベストエフォート符号化を使用してＮ−ＤＣＩ中で与えられ得、ブラインド復号が、追加のＮＡＩＣ情報を取得するために利用され得る。いくつかの態様によれば、Ｎ−ＤＣＩは、情報がどのくらいの時間の間有効であるかを示し得る。いくつかの態様によれば、Ｎ−ＤＣＩは、干渉を含むかまたは潜在的に含むＲＢＧまたはＮ−ＲＢＧを示すビットマップを含み得、ここにおいて、Ｎ−ＲＢＧはＲＢＧよりも大きい。１つまたは複数のＲＢまたはＲＢＧは、利用可能な変調方式のセットからの、送信のための低減された数の可能な変調方式に限定され得る。いくつかの態様によれば、別個のＮ−ＤＣＩはそれぞれの複数のＣＣ上で送信され得る。干渉するまたは潜在的に干渉するＢＳは、ＵＥにＣＣを半静的にシグナリングし得る。いくつかの態様によれば、Ｎ−ＤＣＩはリソース割振りタイプを示し得る。いくつかの態様によれば、Ｎ−ＤＣＩ中で搬送される情報のタイプは、Ｎ−ＤＣＩがその中で送信されるサブフレームまたはサブフレーム内のロケーションのうちの少なくとも１つに少なくとも部分的に依存し得る。
【００９２】
[0104]いくつかの態様によれば、干渉するまたは潜在的に干渉するＢＳは、干渉するまたは潜在的に干渉するＢＳあるいは１つまたは複数のネイバーセルのうちの少なくとも１つが、干渉緩和を実行する際にＵＥによる使用のための情報をどのように送信するかの指示を生成し得、ＵＥに指示を（たとえば、ＳＩＢ中で）送信する。いくつかの態様によれば、干渉するまたは潜在的に干渉するＢＳは、干渉するＢＳおよび１つまたは複数のセルによって送信されるＮ−ＤＣＩの１つまたは複数の構成を示し得る。いくつかの態様によれば、干渉するまたは潜在的に干渉するＢＳは、ＵＥから、Ｍ個のセルに関する１つまたは複数の報告を受信し得、報告されたＭ個のセルに基づいて１つまたは複数のセルを選択し得る。代替的に、干渉するまたは潜在的に干渉するＢＳは、ＰＱＩに基づいて１つまたは複数のセルを選択し得る。いくつかの態様によれば、指示は、干渉緩和を実行する際に使用するための、利用可能なＴＭのセットからの、低減された数の可能なＴＭをＵＥに示し得、ここにおいて、可能なＴＭの数が、半静的シグナリングによって低減される。
【００９３】
[0105]図８に、本開示のいくつかの態様による、ワイヤレス通信のための例示的な動作８００を示す。動作８００は、たとえば、ＵＥ（たとえば、ＵＥ２０６など）によって実行され得る。動作８００は、８０２において、干渉するまたは潜在的に干渉するＢＳあるいは１つまたは複数のセルのうちの少なくとも１つからの情報（たとえば、Ｎ−ＤＣＩ）を監視することによって開始する。いくつかの態様によれば、ＵＥは、ＵＥ能力に基づいて、１つまたは複数のセルのうちのいくつが情報を監視すべきかを決定し得る。
【００９４】
[0106]８０４において、ＵＥは、サービングＢＳから信号を受信する。
【００９５】
[0107]８０６において、ＵＥは、信号を処理するために、情報に基づいて干渉緩和を実行する。態様では、ＵＥは、図７中の干渉するまたは潜在的に干渉するＢＳによって実行されるステップに対応する受信機側ステップを実行し得る。たとえば、態様では、方法８００は、干渉するまたは潜在的に干渉するＢＳあるいは１つまたは複数のセルのうちの少なくとも１つが情報（たとえば、Ｎ−ＤＣＩ構成）をどのように送信するかの指示を、干渉するまたは潜在的に干渉するＢＳから（たとえば、ＳＩＢ中で）受信することをさらに備え得る。ＵＥは、次いで、指示に基づいて、干渉するまたは潜在的に干渉するＢＳおよび１つまたは複数のセルを監視し得る。指示は、情報がどのくらいの時間の間有効であるかを示し得る。代替的に、Ｎ−ＤＣＩは、情報が長さの間有効であるかを示し得る。
【００９６】
[0108]いくつかの態様によれば、限られた量のＮＡＩＣ情報がＮ−ＤＣＩ中で受信され得、ＵＥは、追加のＮＡＩＣ情報を取得するために、ブラインド復号を利用し得る。いくつかの態様によれば、Ｎ−ＤＣＩは、干渉を含むかまたは潜在的に含むＲＢＧまたはＮ−ＲＢＧを示すビットマップを含み得、ここにおいて、Ｎ−ＲＢＧはＲＢＧよりも大きい。いくつかの態様によれば、ビットマップは変調方式のペアをさらに示し得、ＵＥは、いずれの変調方式が使用されるかを決定するために、ブラインド復号を利用し得る。いくつかの態様によれば、情報は第１のＣＣ上で受信され得るが、干渉緩和は第２のＣＣ上で実行され得る。同様に、情報は第１のサブフレーム中で受信され得るが、干渉緩和は第２のサブフレーム中で実行され得る。
【００９７】
[0109]図９に、本開示のいくつかの態様による、ワイヤレス通信のための例示的な動作９００を示す。動作９００は、たとえば、干渉するまたは潜在的に干渉するＢＳ（たとえば、マクロセル２０４またはフェムトセル２０８など）によって実行され得る。動作９００は、９０２において、サービングＢＳからの信号を処理するときに干渉消去または抑制を実行する際にＵＥによる使用のためのＮＡＩＣ情報を１つまたは複数のセルがどのように送信するかの指示を生成することによって開始し得る。いくつかの態様によれば、指示は１つまたは複数のセルによるＤＣＩの１つまたは複数の構成を示し得る。指示はまた、ＮＡＩＣがどのくらいの時間の間有効であるかを示し得る。いくつかのによれば、１つまたは複数のセルが、擬似コロケーション情報に基づいて選択される。
【００９８】
[0110]９０４において、干渉するまたは潜在的に干渉するＢＳはＵＥに指示を送信し得る。いくつかの態様によれば、ＢＳは、ＵＥからＭ個のセルに関する報告を受信し得、１つまたは複数のセルは、報告されたＭ個のセルに基づいて選択され得る。
【００９９】
[0111]図１０に、本開示のいくつかの態様による、ワイヤレス通信のための例示的な動作１０００を示す。動作１０００は、たとえば、ＵＥ（たとえば、ＵＥ２０６など）によって実行され得る。動作１０００は、１００２において、１つまたは複数のセルがＮＡＩＣ情報をどのように送信するかの指示を（たとえば、ＳＩＢ中で）受信することによって開始する。いくつかの態様によれば、指示は、１つまたは複数のセルによって送信されるＤＣＩの１つまたは複数の構成を示し得る。指示は、ＮＡＩＣ情報がどのくらいの時間の間有効であるかを示し（たとえば、それをも示し）得る。
【０１００】
[0112]１００４において、ＵＥは、ＮＡＩＣ情報を取得するために１つまたは複数のセルを監視するために、指示を使用し得る。
【０１０１】
[0113]１００６において、ＵＥは、ＮＡＩＣ情報を使用してサービング基地局からの信号を処理するときに干渉消去または抑制を実行し得る。いくつかの態様によれば、ＵＥは、ＢＳにＭ個のセル（たとえば、ネイバー）に関する報告を送り得、１つまたは複数のセルは、報告されたＭ個のセルに基づいて選択され得る。いくつかの態様によれば、ＵＥは、ＵＥ能力に基づいて、１つまたは複数のセルのうちのいくつがＮＡＩＣ情報を監視すべきかを自律的に決定し得る。
【０１０２】
[0114]本方法および装置は、ＮＡＩＣシグナリングのために必要とされるビットの数を低減し、および／またはサービングＢＳからＵＥによって受信された信号を復号するために必要とされる仮説の数を低減し得る。
【０１０３】
[0115]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１０４】
[0116]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図７に示されている動作７００および図８に示されている動作８００は、それぞれ、図７Ａ中の手段７００Ａおよび図８Ａ中の手段８００Ａに対応する。
【０１０５】
[0117]たとえば、送信するための手段は、図６に示されているｅＮＢ６１０の送信機（たとえば、トランシーバ６１８）および／または（１つまたは複数の）アンテナ６２０、あるいは図６に示されているＵＥ６５０の送信機（たとえば、トランシーバ６５４）および／または（１つまたは複数の）アンテナ６５２を備え得る。受信するための手段は、図６に示されているｅＮＢ６１０の受信機（たとえば、トランシーバ６１８）および／または（１つまたは複数の）アンテナ６２０、あるいは図６に示されているＵＥ６５０の受信機（たとえば、トランシーバ６５４）および／または（１つまたは複数の）アンテナ６５２を備え得る。処理するための手段、決定するための手段、実行するための手段、監視するための手段、生成するための手段、および／または利用するための手段は、処理システムを備え得、その処理システムは、図６に示されているＵＥ６５０のＲＸプロセッサ６５６、ＴＸプロセッサ６６８、および／またはコントローラ／プロセッサ６５９、あるいは図６に示されているｅＮＢ６１０のＲＸプロセッサ６７０、ＴＸプロセッサ６１６、および／またはコントローラ／プロセッサ６７５など、１つまたは複数のプロセッサを含み得る。
【０１０６】
[0118]本明細書で使用する「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１０７】
[0119]その上、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸはＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【０１０８】
[0120]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１０９】
[0121]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１０】
[0122]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【０１１１】
[0123]ハードウェア実装形態では、機械可読媒体は、プロセッサとは別個の処理システムの一部であり得る。しかしながら、当業者なら容易に理解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【０１１２】
[0124]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【０１１３】
[0125]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１１４】
[0126]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１１５】
[0127]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。さらに、本明細書で説明した方法および技法をデバイスに提供するための任意の他の好適な技法が利用され得る。
【０１１６】
[0128]以上の説明は、本明細書で説明した様々な態様を当業者が実施することを可能にするために与えられた。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
[Ｃ１]  干渉するまたは潜在的に干渉する基地局によるワイヤレス通信の方法であって、
サービング基地局からの信号を処理するときに干渉緩和を実行する際にユーザ機器（ＵＥ）による使用のための情報を生成することと、
前記情報を前記ＵＥに送信することとを備える、方法。
[Ｃ２]  前記情報がネットワーク支援干渉消去（ＮＡＩＣ）情報を備え、前記情報がＮＡＩＣダウンリンク制御情報（Ｎ−ＤＣＩ）として送信される、Ｃ１に記載の方法。
[Ｃ３]  前記干渉するまたは潜在的に干渉する基地局が前記情報をどのように送信するか、あるいは前記サービング基地局からの信号を処理するときに干渉緩和を実行する際に前記ＵＥによる使用のための情報を１つまたは複数のセルがどのように送信するかのうちの少なくとも１つの指示を生成することと、
前記指示を前記ＵＥに送信することとをさらに備える、Ｃ１に記載の方法。
[Ｃ４]  前記指示が、前記干渉する基地局および前記１つまたは複数のセルによって送信されるダウンリンク制御情報（ＤＣＩ）の１つまたは複数の構成を示す、Ｃ１に記載の方法。
[Ｃ５]  前記ＵＥから、Ｍ個のセルに関する１つまたは複数の報告を受信すること、ここにおいて、前記１つまたは複数のセルが、前記報告されたＭ個のセルに基づいて選択される、をさらに備える、Ｃ３に記載の方法。
[Ｃ６]  前記１つまたは複数のセルが、擬似コロケーション情報に基づいて選択される、Ｃ３に記載の方法。
[Ｃ７]  前記指示は、前記情報がどのくらいの時間の間有効であるかを示す、Ｃ３に記載の方法。
[Ｃ８]  システム情報ブロック（ＳＩＢ）中で前記指示をブロードキャストすることをさらに備える、Ｃ３に記載の方法。
[Ｃ９]  前記送信することが、異なる情報をもつ少なくとも第１のタイプおよび第２のタイプのＮ−ＤＣＩを送信することを備える、Ｃ２に記載の方法。
[Ｃ１０]  限られた量のＮＡＩＣ情報が、ベストエフォート符号化を使用してＮ−ＤＣＩ中で与えられる、Ｃ２に記載の方法。
[Ｃ１１]  前記Ｎ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、Ｃ２に記載の方法。
[Ｃ１２]  前記ＲＢＧまたはＮ−ＲＢＧが、利用可能な変調方式のセットからの、送信のための低減された数の可能な変調方式に限定される、Ｃ１１に記載の方法。
[Ｃ１３]  前記干渉緩和を実行する際に使用するための、利用可能な送信モード（ＴＭ）のセットからの、低減された数の可能なＴＭの指示を前記ＵＥに送信すること、ここにおいて、可能なＴＭの数が、半静的シグナリングによって低減される、をさらに備える、Ｃ１に記載の方法。
[Ｃ１４]  別個のＮ−ＤＣＩが、それぞれの複数のコンポーネントキャリア（ＣＣ）上で送信される、Ｃ２に記載の方法。
[Ｃ１５]  前記Ｎ−ＤＣＩが、１つまたは複数のコンポーネントキャリア（ＣＣ）上で送られ、前記方法が、
前記１つまたは複数のＣＣを前記ＵＥに半静的にシグナリングすることをさらに備える、Ｃ１に記載の方法。
[Ｃ１６]  前記Ｎ−ＤＣＩがリソース割振りタイプを示す、Ｃ２に記載の方法。
[Ｃ１７]  前記Ｎ−ＤＣＩ中で搬送される情報の前記タイプは、前記Ｎ−ＤＣＩがその中で送信されるサブフレームまたはサブフレーム内のロケーションのうちの少なくとも１つに少なくとも部分的に依存する、Ｃ２に記載の方法。
[Ｃ１８]  ユーザ機器（ＵＥ）によるワイヤレス通信の方法であって、
干渉するまたは潜在的に干渉する基地局あるいは１つまたは複数のセルのうちの少なくとも１つからの情報を監視することと、
サービング基地局から信号を受信することと、
前記信号を処理するために、前記情報に基づいて干渉緩和を実行することとを備える、方法。
[Ｃ１９]  前記情報がネットワーク支援干渉消去（ＮＡＩＣ）情報を備え、前記監視することが、ブロードキャストＮＡＩＣダウンリンク制御情報（Ｎ−ＤＣＩ）を監視することを備える、Ｃ１８に記載の方法。
[Ｃ２０]  前記干渉するまたは潜在的に干渉する基地局から、前記干渉するまたは潜在的に干渉する基地局あるいは１つまたは複数のセルのうちの少なくとも１つが情報をどのように送信するかの指示を受信すること、ここにおいて、情報を監視することが、前記指示に基づいて、前記干渉するまたは潜在的に干渉する基地局および１つまたは複数のセルを監視することを備える、をさらに備える、Ｃ１８に記載の方法。
[Ｃ２１]  ＵＥ能力に基づいて、前記１つまたは複数のセルのうちのいくつが前記情報を監視すべきかを決定することをさらに備える、Ｃ２０に記載の方法。
[Ｃ２２]  前記指示は、前記情報がどのくらいの時間の間有効であるかを示す、Ｃ２０に記載の方法。
[Ｃ２３]  前記指示が、システム情報ブロック（ＳＩＢ）中でブロードキャストされるダウンリンク制御情報（ＤＣＩ）構成を介して受信される、Ｃ２０に記載の方法。
[Ｃ２４]  限られた量のＮＡＩＣ情報がＮ−ＤＣＩ中で受信され、前記方法が、
追加のＮＡＩＣ情報を取得するために、ブラインド復号を利用することをさらに備える、Ｃ１９に記載の方法。
[Ｃ２５]  前記Ｎ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、Ｃ１９に記載の方法。
[Ｃ２６]  前記ビットマップが、利用可能な変調方式のセットからの、低減された数の可能な変調方式をさらに示し、前記方法は、
いずれの変調方式が使用されるかを決定するために、ブラインド復号を利用することをさらに備える、Ｃ２５に記載の方法。
[Ｃ２７]  前記情報が第１のコンポーネントキャリア（ＣＣ）上で受信され、前記干渉緩和が第２のＣＣ上で実行される、Ｃ１８に記載の方法。
[Ｃ２８]  前記情報が第１のサブフレーム中で受信され、前記干渉緩和が第２のサブフレーム中で実行される、Ｃ１８に記載の方法。
[Ｃ２９]  干渉するまたは潜在的に干渉する基地局によるワイヤレス通信の装置であって、
サービング基地局からの信号を処理するときに干渉緩和を実行する際にユーザ機器（ＵＥ）による使用のための情報を生成するための手段と、
前記情報を前記ＵＥに送信するための手段とを備える、装置。
[Ｃ３０]  前記情報がネットワーク支援干渉消去（ＮＡＩＣ）情報を備え、前記情報がＮＡＩＣダウンリンク制御情報（Ｎ−ＤＣＩ）として送信される、Ｃ２９に記載の装置。
[Ｃ３１]  前記干渉するまたは潜在的に干渉する基地局が前記情報をどのように送信するか、あるいは前記サービング基地局からの信号を処理するときに干渉緩和を実行する際に前記ＵＥによる使用のための情報を１つまたは複数のセルがどのように送信するかのうちの少なくとも１つの指示を生成するための手段と、
前記指示を前記ＵＥに送信するための手段とをさらに備える、Ｃ２９に記載の装置。
[Ｃ３２]  前記指示が、前記干渉する基地局および前記１つまたは複数のセルによって送信されるダウンリンク制御情報（ＤＣＩ）の１つまたは複数の構成を示す、Ｃ２９に記載の装置。
[Ｃ３３]  前記ＵＥから、Ｍ個のセルに関する１つまたは複数の報告を受信するための手段、ここにおいて、前記１つまたは複数のセルが、前記報告されたＭ個のセルに基づいて選択される、をさらに備える、Ｃ３１に記載の装置。
[Ｃ３４]  前記１つまたは複数のセルが、擬似コロケーション情報に基づいて選択される、Ｃ３１に記載の装置。
[Ｃ３５]  前記指示は、前記情報がどのくらいの時間の間有効であるかを示す、Ｃ３１に記載の装置。
[Ｃ３６]  システム情報ブロック（ＳＩＢ）中で前記指示をブロードキャストするための手段をさらに備える、Ｃ３１に記載の装置。
[Ｃ３７]  送信するための前記手段が、異なる情報をもつ少なくとも第１のタイプおよび第２のタイプのＮ−ＤＣＩを送信するための手段を備える、Ｃ３０に記載の装置。
[Ｃ３８]  限られた量のＮＡＩＣ情報が、ベストエフォート符号化を使用してＮ−ＤＣＩ中で与えられる、Ｃ３０に記載の装置。
[Ｃ３９]  前記Ｎ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、Ｃ３０に記載の装置。
[Ｃ４０]  前記ＲＢＧまたはＮ−ＲＢＧが、利用可能な変調方式のセットからの、送信のための低減された数の可能な変調方式に限定される、Ｃ３９に記載の装置。
[Ｃ４１]  前記干渉緩和を実行する際に使用するための、利用可能な送信モード（ＴＭ）のセットからの、低減された数の可能なＴＭの指示を前記ＵＥに送信するための手段、ここにおいて、可能なＴＭの数が、半静的シグナリングによって低減される、をさらに備える、Ｃ２９に記載の装置。
[Ｃ４２]  別個のＮ−ＤＣＩが、それぞれの複数のコンポーネントキャリア（ＣＣ）上で送信される、Ｃ３０に記載の装置。
[Ｃ４３]  前記Ｎ−ＤＣＩが、１つまたは複数のコンポーネントキャリア（ＣＣ）上で送られ、前記装置が、
前記１つまたは複数のＣＣを前記ＵＥに半静的にシグナリングするための手段をさらに備える、Ｃ２９に記載の装置。
[Ｃ４４]  前記Ｎ−ＤＣＩがリソース割振りタイプを示す、Ｃ３０に記載の装置。
[Ｃ４５]  前記Ｎ−ＤＣＩ中で搬送される情報の前記タイプは、前記Ｎ−ＤＣＩがその中で送信されるサブフレームまたはサブフレーム内のロケーションのうちの少なくとも１つに少なくとも部分的に依存する、Ｃ３０に記載の装置。
[Ｃ４６]  ユーザ機器（ＵＥ）によるワイヤレス通信の装置であって、
干渉するまたは潜在的に干渉する基地局あるいは１つまたは複数のセルのうちの少なくとも１つからの情報を監視するための手段と、
サービング基地局から信号を受信するための手段と、
前記信号を処理するために、前記情報に基づいて干渉緩和を実行するための手段とを備える、装置。
[Ｃ４７]  前記情報がネットワーク支援干渉消去（ＮＡＩＣ）情報を備え、前記監視することが、ブロードキャストＮＡＩＣダウンリンク制御情報（Ｎ−ＤＣＩ）を監視することを備える、Ｃ４６に記載の装置。
[Ｃ４８]  前記干渉するまたは潜在的に干渉する基地局から、前記干渉するまたは潜在的に干渉する基地局あるいは１つまたは複数のセルのうちの少なくとも１つが情報をどのように送信するかの指示を受信するための手段、ここにおいて、情報を監視するための手段が、前記指示に基づいて、前記干渉するまたは潜在的に干渉する基地局および１つまたは複数のセルを監視するための手段を備える、をさらに備える、Ｃ４６に記載の装置。
[Ｃ４９]  ＵＥ能力に基づいて、前記１つまたは複数のセルのうちのいくつが前記情報を監視すべきかを決定するための手段をさらに備える、Ｃ４８に記載の装置。
[Ｃ５０]  前記指示は、前記情報がどのくらいの時間の間有効であるかを示す、Ｃ４８に記載の装置。
[Ｃ５１]  前記指示が、システム情報ブロック（ＳＩＢ）中でブロードキャストされるダウンリンク制御情報（ＤＣＩ）構成を介して受信される、Ｃ４８に記載の装置。
[Ｃ５２]  限られた量のＮＡＩＣ情報がＮ−ＤＣＩ中で受信され、前記装置が、
追加のＮＡＩＣ情報を取得するために、ブラインド復号を利用するための手段をさらに備える、Ｃ４７に記載の装置。
[Ｃ５３]  前記Ｎ−ＤＣＩが、干渉を含むかまたは潜在的に含むリソースブロックグループ（ＲＢＧ）またはＲＢＧのグループ（Ｎ−ＲＢＧ）を示すビットマップを備え、ここにおいて、Ｎ−ＲＢＧがＲＢＧよりも大きい、Ｃ４７に記載の装置。
[Ｃ５４]  前記ビットマップが、利用可能な変調方式のセットからの、低減された数の可能な変調方式をさらに示し、前記装置は、
いずれの変調方式が使用されるかを決定するために、ブラインド復号を利用するための手段をさらに備える、Ｃ５３に記載の装置。
[Ｃ５５]  前記情報が第１のコンポーネントキャリア（ＣＣ）上で受信され、前記干渉緩和が第２のＣＣ上で実行される、Ｃ４６に記載の装置。
[Ｃ５６]  前記情報が第１のサブフレーム中で受信され、前記干渉緩和が第２のサブフレーム中で実行される、Ｃ４６に記載の装置。
【図１】
0006469712.tif 000007
【図２】
0006469712.tif 000008
【図３】
0006469712.tif 000009
【図４】
0006469712.tif 000010
【図５】
0006469712.tif 000011
【図６】
0006469712.tif 000012
【図７】
0006469712.tif 000013
【図７Ａ】
0006469712.tif 000014
【図８】
0006469712.tif 000015
【図８Ａ】
0006469712.tif 000016
【図９】
0006469712.tif 000017
【図１０】
0006469712.tif 000018